(57)【要約】【課題】石綿含有屋根材等の改修に関して、美観と耐候性と防火性能とを向上する、軒先と鼻隠とを被う軒先部材と、それを取り付けた改修構造に関する。【解決手段】石綿含有屋根材の先端を被う唐草と、鼻隠を被う鼻覆とによる、軒先部材とそれによる改修構造とする。【選択図】図１
2007309074.tif 000002
【特許請求の範囲】
【請求項１】
石綿含有屋根材の改修に関して、屋根材の先端被う唐草と、それに連続する鼻隠を被う鼻覆とによる事を特徴とする軒先部材。
【請求項２】
請求項１の軒先部材を使用する改修構造。
【発明の詳細な説明】
【技術分野】
【０００１】  この発明は、石綿含有屋根材等の改修に関して、美観と耐候性と防火性能とを向上する、軒先と鼻隠とを被う軒先部材と、それを取り付けた改修構造に関する。
【背景技術】
【０００２】  従来、改修軒先構造の技術には、雨樋と鼻隠との間を金属薄板により被う、改修軒先構造がある。
（例えば、特許文献１参照）。
【特許文献１】  特開２００１−２３４６１７号公報
【発明の開示】
【発明が解決しようとする課題】
【０００３】  従来、雨樋と鼻隠との間を金属薄板により被う、改修軒先構造には、屋根材の先端と雨樋との間から、雨だれの跳ね返りや、吹き込み等により、金属薄板により被った部分に入った雨水が溜まり、金属薄板による被いや、それに近接する鼻隠を腐食させる問題があった。
【課題を解決するための手段】
【０００４】  この発明は、石綿含有屋根材等の先端を被う唐草と、鼻隠を被う鼻覆とによる、軒先部材を特徴とする、軒先部材とそれによる改修構造である。
【発明の効果】
【０００５】  この発明による軒先部材とそれによる改修構造には、次のような効果がある。【０００６】Ａ．石綿含有屋根材の改修に関して、屋根材の先端を被う唐草と、それに連続する鼻隠を被う鼻覆とによる、軒先部材とする事により、
ａ．石綿含有屋根材の劣化による石綿の粉末の飛散を、
イ．石綿含有屋根材を、唐草と鼻隠とで被うことにより防止し、
ｂ．屋根材の先端と雨樋との間からの、雨たれの跳ね返りや、吹き込み等による、雨水の浸入を防止できて、
イ．鼻覆により被った部分に入った雨水の溜まりによる、鼻覆や鼻隠の腐食を防止し、
ｃ．鼻覆により鼻隠を被うことにより、
イ．鼻隠の劣化を防止させる。【０００７】Ｂ．唐草の固定片側に対する他端を、固定する手段を持つ、唐草とする事により、
ａ．唐草の固定が強固となり、
イ．屋根材の固定が強固となり、耐風圧性能が向上し、
ロ．幅の広い唐草の利用が可能となり、重厚な印象の唐草となり意匠性が向上し、
ハ．板厚の薄い材料の利用が可能となり、コストが低下し、
ｂ．唐草の固定片側に対する他端を釘打ち固定する場合は、
イ．唐草の固定片側に対する他端の固定が強固となり、構造が簡単になり、
ｃ．唐草の固定片側に対する他端を、鼻覆や鼻継材に引っ掛ける場合は、
イ．現場施工の手数が省ける。【０００８】Ｃ．鼻覆の鼻爪を桟木の面取面の溝に差し込む鼻覆とする事により、
ａ．鼻覆の固定を強固とすることが出来、
イ．幅広の鼻覆を利用が可能となり、重厚な印象の鼻覆となり意匠性が向上し、
ロ．板厚の薄い材料の利用が可能となり、コストが低下し、
ｂ．桟木により雨樋の取付位置を前方とすることが可能となり、
イ．唐草による雨だれの落下位置を、容易に調整することが可能となる。【０００９】Ｄ．唐草を、屋根材の先端を被う唐草と、屋根材の取付開始材としての、嵌合材とに分離する事により、
ａ．屋根材の取付開始位置が調整可能となり、
イ．屋根材の張り終わりの位置が調整可能となり、
ロ．屋根材の張り終わりの位置での、屋根材の現場加工が最適になるように調整可能となり、
ハ．軒先の施工性が向上する。【００１０】Ｅ．唐草面や唐草垂から、折り返しや鋭角に折り曲げた、唐草爪や唐水切を形成する唐草とする事により、
ａ．唐草面を伝う雨水を雨樋に落とす、水切性能が向上し、
イ．軒先からの雨だれが軒下に落ちる事が少なくなり、住宅の居住性が向上する。【００１１】Ｆ．唐草の唐草垂あるいは鼻継材の鼻覆受と、鼻覆の鼻腕、との重ね合わせとする事により、
ａ．唐草や鼻継材と鼻覆との重ね合わせが、調整可能となり、
イ．施工スペースに、それらの部材を施工することが容易となり、施工性が向上する。【００１２】Ｇ．この発明による改修構造とすることにより、
ａ．屋根材の先端を被う唐草と、それに連続する鼻隠を被う鼻覆とによる、軒先部材とする事により、
イ．軒先の構造は、幅広で重厚なものとなり、意匠性が向上し、
ロ．屋根との質感の統一が取れて、美観が向上し、
ｂ．軒先部材を金属板とすることにより、
イ．防火性能が向上し、
ロ．耐候性が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される屋根板や部材の釘打ち固定には、
ａ．次に代表される、固定具を使用し、
イ．セルフドリリングタッピングビス
ロ．釘
ハ．ホッチキス
ニ．木ネジ
ホ．コースレッド等
ｂ．また、ネジは、
イ．セルフドリリングタッピングビス
ロ．木ネジ
ハ．コースレッド等を使用し、【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
ｂ．この発明の防水板には、
イ．木材・合板
ロ．低発泡の発泡合成樹脂等が使用され、
ｃ．この発明の防水紙には、
イ．ゴムアスファルトルーフィング
ロ．アスファルトルーフィング
ハ．アスファルトフェルト
ニ．シート防水材等が使用され、
ｄ．粘着性のシートには、
イ．ゴムアスファルトルーフィング
ロ．ブチルゴム系防水シート
ハ．アクリル系防水シート等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、この発明の実施例１を示すものである。【００１８】Ａ．図４に示す、実施例１においての屋根板１は、
ａ．金属板６による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．それにまた、成形した表面材１ａの裏面側に、
イ．前端面１ｃと屋根板面１ｂとの屈曲部から、嵌合溝１ｅ側の側端に亘る間を、裏面材１ｊにより覆った、発泡合成樹脂７による次のような裏打材１ｉを形成し、
ロ．その裏打材１ｉの幅方向の断面は、屋根板面１ｂを底辺とし、その頂点が差込片１ｄ側によった薄い三角形に形成し、
ｅ．それらの表面材１ａと裏打材１ｉとを切断して、長手方向に切断端１ｈを形成している。【００１９】Ｂ．図５に示す、実施例１の唐草２は、長尺の金属板６を成形して、
ａ．ほぼ平坦な、唐草面２ａの一側端を裏面側にＬ字形に折り曲げて、唐草足２ｂを形成し、
ｂ．その唐草足２ｂを表面側にＬ字形に折り曲げて、裏面側に折り返した先端を、わずかに裏面側に折り曲げた、唐草垂２ｅを形成し、
ｃ．唐草面２ａの他側部をＬ字形に裏面側に折り曲げて、更に表面側にコの字形に折り曲げて、嵌合口２ｆを形成し、
ｄ．更に、その嵌合口２ｆを裏面側に折り返して、嵌合辺２ｇを形成し、
ｅ．その嵌合辺２ｇを鈍角のクランク状に裏面側に折り曲げて、その先端を表面側に折り返した、固定片２ｈを形成している。【００２０】Ｃ．図６に示す、実施例１の鼻覆３は、長尺の金属板６を成形して、
ａ．ほぼ平坦な、鼻覆面３ａの一側端を裏面側にＬ字形に折り曲げて、更に裏面側にくの字形に折り曲げて、その先端を裏面側に折り返した、鼻足３ｄを形成し、
ｂ．鼻覆面３ａの他側部をクランク状に表面側に折り曲げて、その先端を裏面側に折り返した、鼻腕３ｂを形成している。【００２１】Ｄ．図７に示す、実施例１の既存屋根５ｆは、
ａ．切妻の屋根の屋根下地５ｄに、野地板５ｅを張り、
ｂ．その野地板５ｅ先端の近傍下部に、鼻隠５ｊを取り付けてあり、
イ．その鼻隠５ｊの裏面下端の近傍に、軒天５ｏを溝に嵌め込み取り付けてあり、
ｃ．野地板５ｅの先端に次のように水切５ｇを取り付けてあり、
イ．その水切５ｇは長尺の金属板６を成形して、
ロ．ほぼ平坦で、その先端を裏面側に折り返した、水切面５ｈを形成し、
ハ．その水切面５ｈの他側部をＬ字形に裏面側に折り曲げて、その先端を表面側に折り返した釘打面５ｉを形成し、
ニ．その釘打面５ｉを、前記の野地板５ｅに釘打ち固定し、
ｄ．それらの土に、次のような屋根版５ａと、張り始め用の屋根版５ａとを、
イ．その屋根版５ａは、繊維強化セメント板による、矩形の一長辺に、その長辺を底辺とする二等辺三角形を乗せた、５角形の薄板であり、
ロ．屋根版５ａは、ほぼ平坦な屋根面５ｂと
ハ．矩形の長辺の両端に、直交する両短辺から、くの字形に交差する斜辺を形成し、
ニ．また、その張り始め用の屋根版５ａは、ほぼ前記の屋根版５ａと同様な形状で、
ホ．その短辺に平行な方向の長さが、屋根版５ａより短く形成し、
ｅ．それらの、張り始め用の屋根版５ａと屋根版５ａとを、複数次のように施工し、
イ．まず、張り始め用の屋根版５ａの長辺を、前記の施工された水切５ｇの水切面５ｈから、２０ｍｍ程度出して、前記の野地板５ｅに釘打ち固定し、
ロ．その張り始め用の屋根版５ａの短辺に、他の張り始め用の屋根版５ａの短辺を当てて接した状態で、釘打ち固定し、
ハ．上記を繰り返して、屋根の軒先に複数の張り始め用の屋根版５ａを施工し、
ホ．その張り始め用の屋根版５ａの上に、次のように前記の屋根版５ａを重ねて、前記の野地板５ｅに釘打ち固定し、
○張り始め用の屋根版５ａの長辺に、屋根版５ａの長辺を合わせて、そして、張り始め用の屋根版５ａの短辺に、屋根版５ａの長辺の中央を合わせ、
ヘ．その屋根版５ａの短辺に、他の屋根版５ａの短辺を当てて接した状態で、釘打ち固定し、
ト．上記を繰り返して、屋根の軒先に複数の屋根版５ａの最初の列を施工し、
チ．その屋根版５ａの短辺の途中に、次の屋根版５ａの長辺の中央を合わせて、上記と同様にして、次の列の屋根版５ａを施工し、
リ．更に、同様にして、複数の列の屋根版５ａを施工し、
ｆ．その様にして施工した既存屋根５ｆの先端に、張り始め用の屋根版５ａと屋根版５ａとが、施工された水切５ｇの水切面５ｈから、出ている開始出５ｎが形成され、
ｇ．前記の、鼻隠５ｊに樋受５１をその面打５ｍにより複数固定し、
ｈ．それらの樋受５１に雨樋５ｋを固定し施工している。【００２２】Ｅ．図１，図２，及び図３に示す、実施例１の改修屋根５の施工は、
ａ．まず、前記の既存屋根５ｆの、樋受５１と雨樋５ｋとを撤去して、
ｂ．次のようにして、前記の既存屋根５ｆの鼻隠５ｊに鼻覆３を施工し、
イ．鼻隠５ｊの前面に、鼻覆３の鼻覆面３ａの裏面を被せ、
ロ．鼻隠５ｊの下面を、鼻覆３の鼻足３ｄにより覆い、
ハ．その鼻足３ｄの先端を、前記の軒天５ｏに接するようにして、ほぼ当てて、
ニ．鼻覆３の鼻腕３ｂを、前記の水切５ｇの水切面５ｈに被せて、
ホ．鼻覆３の鼻覆面３ａを釘打ち固定し、
ｃ．既存屋根５ｆの先端に、次のように唐草２を施工し、
イ．唐草２の唐草足２ｂと固定片２ｈとの間を、既存屋根５ｆの開始出５ｎに被せて、
ロ．唐草２の唐草垂２ｅの先端を、既存屋根５ｆの水切５ｇの水切面５ｈに当てた状態で、その固定片２ｈを釘打ち固定し、
ｄ．その唐草２の固定片２ｈの上から、既存屋根５ｆの屋根版５ａの上に、粘着性の防水紙４を貼り付け、
ｅ．そして、その唐草２の嵌合口２ｆに、屋根板１の差込片１ｄを差し込み、その屋根板１の釘打片１ｇを釘打ち固定し、
ｆ．屋根板１の嵌合溝１ｅに、他の屋根板１の差込片１ｄを差し込み、後者の屋根材１の釘打片１ｇを釘打ち固定し、
ｇ．上記を繰り返し、既存屋根５ｆの屋根面５ｂの上面を防水紙４と、複数の屋根材１により覆い、
ｈ．前記の、鼻覆３により覆われた、鼻隠５ｊに樋受５１をその面打５ｍにより複数固定し、
ｉ．それらの樋受５１に雨樋５ｋを固定し施工し、
ｊ．また、既存屋根５ｆの開始出５ｎを唐草２の唐草足２ｂと唐草面２ａと嵌合口２ｆとにより覆う、改修屋根５を施工する。
【実施例２】
【００２３】  図４，図８，図９，図１０，図１１，図１２，及び図１３は、この発明の実施例２を示すものである。【００２４】Ａ．図４に示す、実施例２においての屋根板１は、実施例１と同じものである。【００２５】Ｂ．図１１に示す、実施例２の唐草２と嵌合材２ｊは、
ａ．唐草２は、長尺の金属板６を成形して、
イ．ほぼ平坦な、唐草面２ａの一側端を裏面側に鋭角的に折り曲げた、唐草足２ｂを形成し、
ロ．その唐草足２ｂを、鋭角的に表面側に折り曲げて、裏面側に折り返した先端を、わずかに裏面側に折り曲げた、唐草垂２ｅを形成し、
ハ．唐草面２ａの他側部をくの字形に裏面側に折り曲げて、その途中に裏面側に開口する断面半円形に隆起する、固定筋２ｉを所定ピッチで複数形成し、その先端を表面側に折り返した、固定片２ｈを形成し、
ｂ．嵌合材２ｊは、長尺の金属板６を成形して、
イ．ほぼ平坦な、嵌合底２ｍと、
ロ．その嵌合底２ｍの一側端を裏面側にＬ字形に折り曲げて、先端を裏面側に折り返した、嵌合端２１を形成し、
ハ．嵌合底２ｍの他側端を、表面側にＬ字形に折り曲げて、取付底２ｏを形成し、
ニ．その取付底２ｏをクランク状に表面側に折り曲げて、更に、裏面側にクランク状に折り曲げて、他の取付底２ｏを形成し、
ホ．更に同様にして、複数の取付底２ｏを形成し、
ヘ．その先端をクランク状に裏面側に折り曲げて、表面側に折り返した、取付片２ｎを形成し、
ト．その、取付底２ｏの幅は、前記の唐草２の固定筋２ｉと近傍の固定筋２ｉとの間に、納まり、
チ．そして取付底２ｏと近傍の取付底２ｏ間の幅は、前記の唐草２の固定筋２ｉと近傍の固定筋２ｉとを納める幅としている。【００２６】Ｃ．図１２に示す、実施例２の鼻覆３は、長尺の金属板６を成形して、
ａ．ほぼ平坦な、鼻覆面３ａの一側端を裏面側にＬ字形に折り曲げて、次のような鼻足３ｄを形成し、
イ．その鼻足３ｄは、途中を、くの字形に裏面側に折り曲げて、更に、鋭角に表面側に折り返した鼻爪３ｃを形成し、
ロ．更に延長して、そして更に裏面側にくの字形に折り曲げて、その先端を裏面側に折り返した、鼻足３ｄを形成し、
ｂ．鼻覆面３ａの他側部をＬ字形に表面側に折り曲げて、そして、くの字形に２回裏面側に折り曲げて、その先端を裏面側に折り返した、鼻腕３ｂを形成している。【００２７】Ｄ．図１３に示す、実施例２の既存屋根５ｆは、
ａ．寄棟の屋根の屋根下地５ｄに、野地板５ｅを張り、
ｂ．その野地板５ｅ先端の近傍下部に、鼻隠５ｊを取り付けてあり、
イ．その鼻隠５ｊの裏面下端の近傍に、軒天５０を溝に嵌め込み取り付けてあり、
ｃ．野地板５ｅの先端に次のように水切５ｇを取り付けてあり、
イ．その水切５ｇは長尺の金属板６を成形して、
ロ．ほぼ平坦で、その先端を裏面側に折り返した、水切面５ｈを形成し、
ハ．その水切面５ｈの他側部をくの字形に裏面側に折り曲げて、その先端を表面側に折り返した釘打面５ｉを形成し、
ニ．その釘打面５ｉを、前記の野地板５ｅに釘打ち固定し、
ｄ．それらの上に、次のような屋根版５ａと、張り始め用の屋根版５ａとを、
イ．その屋根版５ａは、繊維強化セメント板による、矩形の一長辺に、その長辺を底辺とする二等辺三角形を乗せた、５角形の薄板であり、
ロ．その屋根版５ａは、ほぼ平坦な屋根面５ｂと
ハ．矩形の長辺の両端に、直交する両短辺から、くの字形に交差する斜辺を形成し、
ニ．また、その張り始め用の屋根版５ａは、ほぼ前記の屋根版５ａと同様な形状で、
ホ．その短辺に平行な方向の長さが、屋根版５ａより短く形成し、
ｅ．それらの、張り始め用の屋根版５ａと屋根版５ａとを、複数次のように施工し、
イ．まず、張り始め用の屋根版５ａの長辺を、前記の施工された水切５ｇの水切面５ｈから、２０ｍｍ程度出して、前記の野地板５ｅに釘打ち固定し、
ロ．その張り始め用の屋根版５ａの短辺に、他の張り始め用の屋根版５ａの短辺を当てて接した状態で、釘打ち固定し、
ハ．上記を繰り返して、屋根の軒先に複数の張り始め用の屋根版５ａを施工し、
ホ．その張り始め用の屋根版５ａの上に、次のように前記の屋根版５ａを重ねて、前記の野地板５ｅに釘打ち固定し、
○張り始め用の屋根版５ａの長辺に、屋根版５ａの長辺を合わせて、そして、張り始め用の屋根版５ａの短辺に、屋根版５ａの長辺の中央を合わせ、
ヘ．その屋根版５ａの短辺に、他の屋根版５ａの短辺を当てて接した状態で、釘打ち固定し、
ト．上記を繰り返して、屋根の軒先に複数の屋根版５ａの最初の列を施工し、
チ．その屋根版５ａの短辺の途中に、次の屋根版５ａの長辺の中央を合わせて、上記と同様にして、次の列の屋根版５ａを施工し、
リ．更に、同様にして、複数の列の屋根版５ａを施工し、
ｆ．その様にして施工した既存屋根５ｆの先端に、張り始め用の屋根版５ａと屋根版５ａとが、施工された水切５ｇの水切面５ｈから、出ている開始出５ｎが形成され、
ｇ．前記の、鼻隠５ｊに樋受５ｌをその面打５ｍにより複数固定し、
ｈ．それらの樋受５ｌに雨樋５ｋを固定し施工している。【００２８】Ｅ．図８，図９，及び図１０に示す、実施例２の改修屋根５の施工は、
ａ．まず、前記の既存屋根５ｆの、樋受５ｌと雨樋５ｋとを撤去して、
ｂ．次のようにして、前記の既存屋根５ｆの鼻隠５ｊに鼻覆３を施工し、
イ．断面矩形の一隅を面取りして、面取面５ｐを形成した、桟木５ｃを、その面取面５ｐを下方と鼻隠５ｊの方向に向けた状態において、鼻隠５ｊに釘打ち固定し、
ロ．その桟木５ｃの前面に、鼻覆３の鼻覆面３ａの裏面を被せ、
ハ．桟木５ｃの下面を、鼻覆３の鼻足３ｄにより覆い、
ニ．桟木５ｃの面取面５ｐと、鼻隠５ｊとの間の隙間に、鼻覆３の鼻爪３ｃを差し込み、
ホ．鼻覆３の鼻足３ｄの先端を、前記の軒天５ｏに接するようにして、ほぼ当てて、
ヘ．鼻覆３の鼻腕３ｂを、前記の水切５ｇの水切面５ｈに被せて、
ト．鼻覆３の鼻覆面３ａを釘打ち固定し、
ｃ．次のようにして、前記の既存屋根５ｆ上に、防水板４ａを施工し、
イ．既存屋根５ｆの開始出５ｎの先端に、防水板４ａの先端を合わせて、釘打ち固定し、
ロ．そして、その防水板４ａの端部に、他の防水板４ａの端部を当てて接した状態で釘打ち固定し、
ハ．上記を繰り返して既存屋根５ｆ上に防水板４ａを敷き詰めて、
ｄ．既存屋根５ｆの先端に、次のように唐草２を施工し、
イ．唐草２の唐草足２ｂと固定片２ｈとの間を、既存屋根５ｆと防水板４ａとの開始出５ｎに被せて、
ロ．その唐草２の唐草垂２ｅの先端を、既存屋根５ｆの水切５ｇの水切面５ｈに当てた状態で、その固定片２ｈを釘打ち固定し、
ｅ．その唐草２の上に、次のように、嵌合材２ｊを固定し、
イ．唐草２の固定筋２ｉと他の固定筋２ｉとの間に、嵌合材２ｊの取付底２ｏを入れて、
ロ．その嵌合材２ｊの取付片２ｎを釘打ち固定し、
ｆ．その嵌合材２ｊの取付片２ｎの上から、施工した防水板４ａの上に、粘着性の防水紙４を貼り付け、
ｇ．そして、その唐草２の固定片２ｈと、嵌合材２ｊの嵌合端２ｌとにより、形成される、嵌合隙２ｋに、屋根板１の差込片１ｄを差し込み、その屋根板１の釘打片１ｇを釘打ち固定し、
ｈ．その屋根板１の嵌合溝１ｅに、他の屋根板１の差込片１ｄを差し込み、後者の屋根材１の釘打片１ｇを釘打ち固定し、
ｉ．上記を繰り返し、既存屋根５ｆの屋根面５ｂの上面を、防水板４ａと、防水紙４と、複数の屋根材１とにより覆い、
ｊ．前記の、鼻覆３により覆われた、鼻隠５ｊに樋受５ｌをその面打５ｍにより複数固定し、
ｋ．それらの樋受５ｌに雨樋５ｋを固定し施工し、
ｌ．また、既存屋根５ｆの開始出５ｎを唐草２の唐草足２ｂと唐草面２ａと固定片２ｈとにより覆う、改修屋根５を施工する。
【実施例３】
【００２９】  図４，図７，図１４，図１５，図１６，図１７，及び図１８は、この発明の実施例３を示すものである。【００３０】Ａ．図４に示す、実施例３においての屋根板１は、実施例１と同じものである。【００３１】Ｂ．図１７に示す、実施例３の唐草２は、長尺の金属板６を成形して、
ａ．ほぼ平坦な、唐草面２ａの一側端を裏面側にＵ字形に折り返して、唐水切２ｃを形成し、
ｂ．その唐水切２ｃをＬ字形に表面側に折り曲げて、唐草足２ｂを形成し、
ｃ．その唐草足２ｂを表面側にＬ字形に折り曲げて、その先端を裏面側に折り返した、唐草垂２ｅを形成し、
ｄ．その唐草面２ａの他側部をＬ字形に裏面側に折り曲げて、更に表面側にコの字形に折り曲げて、嵌合口２ｆを形成し、
ｅ．更に、その嵌合口２ｆを裏面側に折り返して、嵌合辺２ｇを形成し、
ｆ．その嵌合辺２ｇを鈍角のクランク状に裏面側に折り曲げて、その先端を表面側に折り返した、固定片２ｈを形成している。【００３２】Ｃ．図１８に示す、実施例３の鼻覆３は、長尺の金属板６を成形して、
ａ．ほぼ平坦な、鼻覆面３ａの一側端を裏面側にＬ字形に折り曲げて、更に裏面側にくの字形に折り曲げて、その先端を裏面側に折り返した、鼻足３ｄを形成し、
ｂ．鼻覆面３ａの他側部をクランク状に表面側に折り曲げて、裏面側に折り返した先端をくの字形に表面側に折り曲げた、鼻腕３ｂを形成している。【００３３】Ｄ．図７に示す、実施例３の既存屋根５ｆは、実施例１と同じ切妻の屋根である。【００３４】Ｅ．図１４，図１５，及び図１６に示す、実施例３の改修屋根５の施工は、
ａ．まず、前記の既存屋根５ｆの、樋受５ｌと雨樋５ｋとを撤去して、
ｂ．次のようにして、前記の既存屋根５ｆ上に、防水板４ａを施工し、
イ．既存屋根５ｆの開始出５ｎの先端に、防水板４ａの先端を合わせて、釘打ち固定し、
ロ．そして、その防水板４ａの端部に、他の防水板４ａの端部を当てて接した状態で釘打ち固定し、
ハ．上記を繰り返して既存屋根５ｆ上に防水板４ａを敷き詰めて、
ｃ．次のようにして、前記の既存屋根５ｆの鼻隠５ｊに、桟木５ｃを施工し、
イ．断面矩形の桟木５ｃの短辺を、既存屋根５ｆの野地板５ｅの下面に当てて、
ロ．その桟木５ｃの長辺を、既存屋根５ｆの鼻覆３の前面に当てて、
ハ．桟木５ｃの下部を、釘打ち固定し、
ｄ．既存屋根５ｆの先端に、次のように唐草２を施工し、
イ．唐草２の唐草足２ｂと固定片２ｈとの間を、既存屋根５ｆの開始出５ｎに被せて、
ロ．その唐草２の唐草垂２ｅの先端を、既存屋根５ｆの水切５ｇの水切面５ｈを被って、
桟木５ｃの長辺に当てた状態で、その固定片２ｈと唐草垂２ｅとを釘打ち固定し、
ｅ．次のようにして、前記の既存屋根５ｆの鼻隠５ｊに鼻覆３を施工し、
イ．鼻隠５ｊの前面に、鼻覆３の鼻覆面３ａの裏面を被せ、
ロ．鼻隠５ｊの下面を、鼻覆３の鼻足３ｄにより覆い、
ハ．その鼻足３ｄの先端を、前記の軒天５ｏに接するようにして、ほぼ当てて、
ニ．鼻覆３の鼻腕３ｂを、前記の水切５ｇの水切面５ｈに被せて、
ホ．鼻覆３の鼻覆面３ａを釘打ち固定し、
ｆ．前記の唐草２の固定片２ｈの上から、施工した防水板４ａの上に、粘着性の防水紙４を貼り付け、
ｇ．そして、その唐草２の嵌合口２ｆに、屋根板１の差込片１ｄを差し込み、その屋根板１の釘打片１ｇを釘打ち固定し、
ｈ．その屋根板１の嵌合溝１ｅに、他の屋根板１の差込片１ｄを差し込み、後者の屋根材１の釘打片１ｇを釘打ち固定し、
ｉ．上記を繰り返し、既存屋根５ｆの屋根面５ｂの上面を、防水板４ａと、防水紙４と、複数の屋根材１とにより覆い、
ｊ．前記の、鼻覆３により覆われた、既存屋根の雨樋５ｋの取付位置より、鼻隠５ｊから離れた位置に取り付ける為の、樋受５ｌをその面打５ｍにより複数固定し、
ｋ．それらの樋受５ｌに雨樋５ｋを固定し施工し、
ｌ．また、既存屋根５ｆの開始出５ｎを、唐草２の唐草足２ｂと唐草面２ａと嵌合口２ｆとにより覆う、改修屋根５を施工する。
【実施例４】
【００３５】  図４，図７，図１９，図２０，図２１，図２２，及び図２３は、この発明の実施例４を示すものである。【００３６】Ａ．図４に示す、実施例４においての屋根板１は、実施例１と同じものである。【００３７】Ｂ．図２２に示す、実施例４の唐草２は、長尺の金属板６を成形して、
ａ．ほぼ平坦な、唐草面２ａの一側端を裏面側にＬ字形に折り曲げて、唐草足２ｂを形成し、
ｂ．その唐草足２ｂを表面側にＬ字形に折り曲げて、唐草垂２ｅを形成し、
ｃ．その唐草垂２ｅを裏面側に鋭角的に折り曲げて、唐草爪２ｄを形成している。
ｄ．唐草面２ａの他側部をＬ字形に裏面側に折り曲げて、更に表面側にコの字形に折り曲げて、嵌合口２ｆを形成し、
ｅ．更に、その嵌合口２ｆを裏面側に折り返して、嵌合辺２ｇを形成し、
ｆ．その嵌合辺２ｇを鈍角のクランク状に裏面側に折り曲げて、その先端を表面側に折り返した、固定片２ｈを形成している。【００３８】Ｃ．図２３に示す、実施例４の鼻覆３は、長尺の金属板６を成形して、
ａ．ほぼ平坦な、鼻覆面３ａの一側端を裏面側にＬ字形に折り曲げて、更に裏面側にくの字形に折り曲げて、その先端を裏面側に折り返した、鼻足３ｄを形成し、
ｂ．鼻覆面３ａの他側部をＬ字形に表面側に折り曲げて、裏面側に折り返した先端をくの字形に表面側に折り曲げた、鼻腕３ｂを形成している。【００３９】Ｄ．図７に示す、実施例４においての既存屋根５ｆは、実施例１と同じ切妻の屋根である。【００４０】Ｅ．図１９，図２０，及び図２１に示す、実施例４の改修屋根５の施工は、
ａ．まず、前記の既存屋根５ｆの、樋受５ｌと雨樋５ｋとを撤去して、
ｂ．次のようにして、前記の既存屋根５ｆの鼻隠５ｊに鼻覆３を施工し、
イ．鼻隠５ｊの前面に、鼻覆３の鼻覆面３ａの裏面を被せ、
ロ．鼻隠５ｊの下面を、鼻覆３の鼻足３ｄにより覆い、
ハ．その鼻足３ｄの先端を、前記の軒天５ｏに接するようにして、ほぼ当てて、
ニ．鼻覆３の鼻腕３ｂを、前記の水切５ｇの水切面５ｈの下方に配置し、
ホ．鼻覆３の鼻覆面３ａを釘打ち固定し、
ｃ．次のようにして、前記の既存屋根５ｆ上に、防水板４ａを施工し、
イ．既存屋根５ｆの開始出５ｎの先端に、防水板４ａの先端を合わせて、釘打ち固定し、
ロ．そして、その防水板４ａの端部に、他の防水板４ａの端部を当てて接した状態で釘打ち固定し、
ハ．上記を繰り返して既存屋根５ｆ上に防水板４ａを敷き詰めて、
ｄ．既存屋根５ｆの先端に、次のように唐草２を施工し、
イ．前記の施工した鼻覆３の鼻腕３ｂの先端に、唐草２の唐草爪２ｄと唐草垂２ｅとの間の屈曲部を被せて、
ロ．その唐草２の唐草足２ｂと固定片２ｈとの間を、既存屋根５ｆと防水板４ａとの開始出５ｎに被せて、
ハ．その唐草２の唐草爪２ｄを、鼻覆３の鼻腕３ｂの先端に引っ掛けた状態で、唐草２の固定片２ｈを釘打ち固定し、
ｅ．その唐草２の固定片２ｈの上から、施工した防水板４ａの上に、粘着性の防水紙４を貼り付け、
ｆ．そして、その唐草２の嵌合口２ｆに、屋根板１の差込片１ｄを差し込み、その屋根板１の釘打片１ｇを釘打ち固定し、
ｇ．その屋根板１の嵌合溝１ｅに、他の屋根板１の差込片１ｄを差し込み、後者の屋根材１の釘打片１ｇを釘打ち固定し、
ｈ．上記を繰り返し、既存屋根５ｆの屋根面５ｂの上面を、防水板４ａと、防水紙４と、複数の屋根材１とにより覆い、
ｉ．前記の、鼻覆３により覆われた、鼻隠５ｊに樋受５ｌをその面打５ｍにより複数固定し、
ｊ．それらの樋受５ｌに雨樋５ｋを固定し施工し、
ｋ．また、既存屋根５ｆの開始出５ｎを唐草２の唐草足２ｂと唐草面２ａと嵌合口２ｆとにより覆う、改修屋根５を施工する。
【実施例５】
【００４１】  図４，図１３，図２４，図２５，図２６，図２７，及び図２８は、この発明の実施例５を示すものである。【００４２】Ａ．図４に示す、実施例５においての屋根板１は、実施例１と同じものである。【００４３】Ｂ．図２７に示す、実施例５の唐草２は、長尺の金属板６を成形して、
ａ．ほぼ平坦な、唐草面２ａの一側端を裏面側に鋭角的に折り曲げて、唐草爪２ｄを形成し、
ｂ．唐草面２ａの他側部をＬ字形に裏面側に折り曲げて、更に表面側にコの字形に折り曲げて、嵌合口２ｆを形成し、
ｃ．更に、その嵌合口２ｆを裏面側に折り返して、嵌合辺２ｇを形成し、
ｄ．その嵌合辺２ｇを鈍角のクランク状に裏面側に折り曲げて、その先端を表面側に折り返した、固定片２ｈを形成している。【００４４】Ｃ．図２８に示す、実施例４の鼻覆３と鼻継材３ｅは、
ａ．鼻覆３は、長尺の金属板６を成形して、
イ．ほぼ平坦な、鼻覆面３ａの一側端を裏面側にＬ字形に折り曲げて、更に裏面側にくの字形に折り曲げて、その先端を裏面側に折り返した、鼻足３ｄを形成し、
ロ．その鼻覆面３ａの他側部をＬ字形に表面側に折り曲げて、その先端を裏面側に折り返した、鼻腕３ｂを形成し、
ｂ．鼻継材３ｅは、長尺の金属板６を成形して、
イ．表面側に折り返した鼻継止３ｈを形成し、
ロ．その鼻継止３ｈの一側端を、Ｌ字形に裏面側に折り曲げて、更に、くの字形に表面側に折り曲げて、その先端を裏面側に折り返した、唐草受３ｆを形成し
ハ．鼻継止３ｈの他側端を、唐草受３ｆの屈曲位置より延長して、Ｌ字形に裏面側に折り曲げて、更に、くの字形に裏面側に折り曲げて、その先端を裏面側に折り返した鼻覆受３ｇを形成している。【００４５】Ｄ．図１３に示す、実施例５においての既存屋根５ｆは、実施例２と同じ寄棟の屋根である。【００４６】Ｅ．図２４，図２５，及び図２６に示す、実施例５の改修屋根５の施工は、
ａ．まず、前記の既存屋根５ｆの、樋受５ｌと雨樋５ｋとを撤去して、
ｂ．次のようにして、前記の既存屋根５ｆ上に、防水板４ａを施工し、
イ．既存屋根５ｆの開始出５ｎの先端に、防水板４ａの先端を合わせて、釘打ち固定し、
ロ．そして、その防水板４ａの端部に、他の防水板４ａの端部を当てて接した状態で釘打ち固定し、
ハ．上記を繰り返して既存屋根５ｆ上に防水板４ａを敷き詰めて、
ｃ．次のようにして、前記の既存屋根５ｆの鼻隠５ｊに、桟木５ｃを施工し、
イ．断面矩形の桟木５ｃの一辺が、既存屋根５ｆの水切５ｇと鼻隠５ｊとの間に入り、その水切５ｇを支えて、
ロ．その桟木５ｃを、その水切５ｇの水切面５ｈから鼻隠５ｊに、釘打ち固定し、
ｄ．次のようにして、前記の既存屋根５ｆの鼻隠５ｊに鼻覆３を施工し、
イ．鼻隠５ｊの前面に、鼻覆３の鼻覆面３ａの裏面を被せ、
ロ．鼻隠５ｊの下面を、鼻覆３の鼻足３ｄにより覆い、
ハ．その鼻足３ｄの先端を、前記の軒天５ｏに接するようにして、ほぼ当てて、
ニ．鼻覆３の鼻腕３ｂを、前記の桟木５ｃの下面に被せて、
ホ．鼻覆３の鼻覆面３ａを釘打ち固定し、
ｅ．次に、その鼻覆３に、鼻継材３ｅを次のように施工し、
イ．その鼻継材３ｅの鼻覆受３ｇを、鼻覆３の鼻腕３ｂに被せて、
ロ．その鼻継材３ｅの鼻継止３ｈを、前記の既存屋根５ｆの水切５ｇの水切面５ｈに被せて、
ハ．その鼻継材３ｅの鼻継止３ｈを、水切５ｇの水切面５ｈを挟んで鼻隠５ｊに、釘打ち固定し、
ｆ．既存屋根５ｆの先端に、次のように唐草２を施工し、
イ．前記の施工した鼻継材３ｅの唐草受３ｆの先端に、唐草２の唐草爪２ｄと唐草面２ａとの間の屈曲部を被せて、
ロ．鼻継材３ｅの唐草受３ｆと、唐草２の固定片２ｈとの間を、既存屋根５ｆと防水板４ａとの開始出５ｎに被せて、
ハ．その唐草２の唐草爪２ｄを、鼻覆３の鼻腕３ｂの先端に引っ掛けた状態で、唐草２の固定片２ｈを釘打ち固定し、
ｇ．その唐草２の固定片２ｈの上から、施工した防水板４ａの上に、粘着性の防水紙４を貼り付け、
ｈ．そして、その唐草２の嵌合口２ｆに、屋根板１の差込片１ｄを差し込み、その屋根板１の釘打片１ｇを釘打ち固定し、
ｉ．その屋根板１の嵌合溝１ｅに、他の屋根板１の差込片１ｄを差し込み、後者の屋根材１の釘打片１ｇを釘打ち固定し、
ｊ．上記を繰り返し、既存屋根５ｆの屋根面５ｂの上面を、防水板４ａと、防水紙４と、複数の屋根材１とにより覆い、
ｋ．前記の、鼻覆３により覆われた、鼻隠５ｊに樋受５ｌをその面打５ｍにより複数固定し、
ｌ．それらの樋受５ｌに雨樋５ｋを固定し施工し、
ｍ．また、既存屋根５ｆの開始出５ｎを、鼻継材３ｅの唐草受３ｆと、唐草２の唐草面２ａと嵌合口２ｆとにより覆う、改修屋根５を施工する。
【図面の簡単な説明】
【００４７】
【図１】  屋根の施工状態を示す一部省略幅方向断面図（実施例１）
【図２】  屋根の施工状態を示す一部省略斜視図（実施例１）
【図３】  屋根の施工状態を示す一部省略斜視図（実施例１）
【図４】  屋根板を示す一部省略斜視図（実施例１〜５）
【図５】  唐草を示す一部省略斜視図（実施例１）
【図６】  鼻覆を示す一部省略斜視図（実施例１）
【図７】  既存屋根の施工状態を示す一部省略斜視図（実施例１、３、４）
【図８】  屋根の施工状態を示す一部省略幅方向断面図（実施例２）
【図９】  屋根の施工状態を示す一部省略斜視図（実施例２）
【図１０】  屋根の施工状態を示す一部省略斜視図（実施例２）
【図１１】  唐草を示す一部省略斜視図（実施例２）
【図１２】  鼻覆を示す一部省略斜視図（実施例２）
【図１３】  既存屋根の施工状態を示す一部省略斜視図（実施例２、５）
【図１４】  屋根の施工状態を示す一部省略幅方向断面図（実施例３）
【図１５】  屋根の施工状態を示す一部省略斜視図（実施例３）
【図１６】  屋根の施工状態を示す一部省略斜視図（実施例３）
【図１７】  唐草を示す一部省略斜視図（実施例３）
【図１８】  鼻覆を示す一部省略斜視図（実施例３）
【図１９】  屋根の施工状態を示す一部省略幅方向断面図（実施例４）
【図２０】  屋根の施工状態を示す一部省略斜視図（実施例４）
【図２１】  屋根の施工状態を示す一部省略斜視図（実施例４）
【図２２】  唐草を示す一部省略斜視図（実施例４）
【図２３】  唐草を示す一部省略斜視図（実施例４）
【図２４】  屋根の施工状態を示す一部省略幅方向断面図（実施例５）
【図２５】  屋根の施工状態を示す一部省略斜視図（実施例５）
【図２６】  屋根の施工状態を示す一部省略斜視図（実施例５）
【図２７】  唐草を示す一部省略斜視図（実施例５）
【図２８】  鼻覆を示す一部省略斜視図（実施例５）
【符号の説明】
【００４８】      １  屋根板
２  唐草
３  鼻覆
４  防水紙
５  屋根
６  金属板
７  合成樹脂
【図１】
2007309074.tif 000003
【図２】
2007309074.tif 000004
【図３】
2007309074.tif 000005
【図４】
2007309074.tif 000006
【図５】
2007309074.tif 000007
【図６】
2007309074.tif 000008
【図７】
2007309074.tif 000009
【図８】
2007309074.tif 000010
【図９】
2007309074.tif 000011
【図１０】
2007309074.tif 000012
【図１１】
2007309074.tif 000013
【図１２】
2007309074.tif 000014
【図１３】
2007309074.tif 000015
【図１４】
2007309074.tif 000016
【図１５】
2007309074.tif 000017
【図１６】
2007309074.tif 000018
【図１７】
2007309074.tif 000019
【図１８】
2007309074.tif 000020
【図１９】
2007309074.tif 000021
【図２０】
2007309074.tif 000022
【図２１】
2007309074.tif 000023
【図２２】
2007309074.tif 000024
【図２３】
2007309074.tif 000025
【図２４】
2007309074.tif 000026
【図２５】
2007309074.tif 000027
【図２６】
2007309074.tif 000028
【図２７】
2007309074.tif 000029
【図２８】
2007309074.tif 000030